(57)【要約】【課題】女性の和服における帯の背中部分に設けられる帯飾りについて、これまでにない斬新なものを提供する。【解決手段】女性の和服における帯の背中部分に設けられる帯飾りであって、おもて側造花群１０Ａと、裏側人工葉１０Ｂと、ベース２０と、取付材３０とを有する。おもて側造花群１０Ａはベース２０のおもて側に設けられ、裏側人工葉１０Ｂはベース２０の裏側に設けられている。取付材３０は、直棒状部３２においてベース２０に設けられ、被挿入部３５がベース２０から下方に延び、人体に着用された和服に巻かれた帯の一部と他の一部の隙間に被挿入部３５が挿入されて、この帯飾りが当該帯に取り付けられる。【選択図】図２Ａ
0003217438.tif 000002
【実用新案登録請求の範囲】
【請求項１】
女性の和服における帯の背中部分に設けられる帯飾りであって、
ベースと、
前記ベースのおもて側に設けられた人工植物と、
前記ベースに設けられ当該ベースから下方に延び、人体に着用された和服に巻かれた帯の一部と他の一部の隙間、又は、当該帯の一部と当該和服との間の隙間に挿入されて当該帯飾りが当該帯に取り付けられる取付材と
を有する、帯飾り。
【請求項２】
請求項１に記載の帯飾りであって、
前記ベースのおもて側に設けられた人工植物の少なくとも一部が造花である、帯飾り。
【請求項３】
請求項１又は請求項２に記載の帯飾りであって、さらに、
前記ベースの裏側に設けられた人工葉
を有する、帯飾り。
【請求項４】
請求項１〜請求項３のいずれかに記載の帯飾りであって、
前記ベースは、平板状のおもて側ベース材と、平板状の裏側ベース材とが結合されて平板状に形成され、
前記取付材は棒状部を有し、前記おもて側ベース材及び前記裏側ベース材の一方に当該棒状部が嵌合される切欠部が形成されている、
帯飾り。
【考案の詳細な説明】
【技術分野】
【０００１】
本考案は、女性の和服における帯の背中部分に設けられる帯飾りに関するものである。
【背景技術】
【０００２】
近年は、ファッション（衣装）における多様性がますます高まっている。
また、一方で、日本独自の文化の良さも見直される風潮が高まっており、その一環として、和服（和装）への注目が高まっている。そして、例えば結婚式においても和装が好まれるケースが多くなっている。
【０００３】
本来的には、和服における帯の背中部分には、その帯が結ばれることによって、帯飾りが形成される。
また、付け帯というものも存在する。付け帯とは、帯状の布地でリボン状に形成された帯飾りを帯の背中部分に取り付けるというものである。
【０００４】
ところで、前述したようにファッションにおける多様性が近年は高まっており、和装においても、斬新なアイデアが求められている。
【０００５】
なお、本考案に関連する先行技術として、特許文献１に記載されているものがある。
【先行技術文献】
【特許文献】
【０００６】
【特許文献１】実開昭６１−１２９８２５号公報
【特許文献２】実開昭６２−０５５５１７号公報
【考案の概要】
【考案が解決しようとする課題】
【０００７】
本考案は、女性の和服における帯の背中部分に設けられる帯飾りについて、これまでにない斬新なものを提供することを課題とする。
【課題を解決するための手段】
【０００８】
この課題を解決するために、本考案の第１の態様は、女性の和服における帯の背中部分に設けられる帯飾りであって、ベースと、前記ベースのおもて側に設けられた人工植物と、前記ベースに設けられ当該ベースから下方に延び、人体に着用された和服に巻かれた帯の一部と他の一部の隙間、又は、当該帯の一部と当該和服との間の隙間に挿入されて当該帯飾りが当該帯に取り付けられる取付材とを有する、帯飾りである。
【０００９】
この考案の帯飾りでは、次のように使用される。すなわち、この帯飾りは、取付材が人体に着用された和服に巻かれた帯の一部と他の一部の隙間、又は、当該帯の一部と当該和服との間の隙間に挿入されることによって、当該帯の背中部分に取り付けられる。
【００１０】
そして、この考案の帯飾りでは、次の作用効果が得られる。すなわち、上述のように帯の背中部分に取り付けられることによって、帯の背中部分に人工植物が設けられることとなる。このため、斬新な外観を呈することとなり、看者の注意を引きつけることとなる。
また、ベースに設けられるものが人工植物であり、天然の植物ではないため、枯れたり腐敗することがなく、長期間にわたって使用可能である。
【００１１】
本考案の第２の態様は、第１の態様の帯飾りであって、前記ベースのおもて側に設けられた人工植物の少なくとも一部が造花である、帯飾りである。
【００１２】
この態様の帯飾りでは、第１の態様の帯飾りの作用効果に加えて、次の作用効果が得られる。すなわち、人工植物の少なくとも一部が造花であるため、より華やかな印象を看者に与えることとなる。
【００１３】
本考案の第３の態様は、第１又は第２の態様の帯飾りであって、さらに、前記ベースの裏側に設けられた人工葉を有する、帯飾りである。
【００１４】
この態様の帯飾りでは、第１又は第２の態様の作用効果に加えて、次の作用効果が得られる。
すなわち、人工植物（造花）の背景として人工葉が存在することとなり、おもて側の人工植物がより映えることとなる。
また、人工葉がベースの裏側に位置することによって、ベースの裏側が直接的に和服に接触せず、人工葉が和服に接触することとなるため、ベースによって和服が損傷することが防止される。
【００１５】
本考案の第４の態様は、第１〜第３のいずれかの態様の帯飾りであって、前記ベースは、平板状のおもて側ベース材と、平板状の裏側ベース材とが結合されて平板状に形成され、前記取付材は棒状部を有し、前記おもて側ベース材及び前記裏側ベース材の一方に当該棒状部が嵌合される切欠部が形成されている、帯飾りである。
【００１６】
この態様の帯飾りでは、第１〜第３のいずれかの態様の帯飾りの作用効果に加えて、次の作用効果が得られる。
すなわち、ともに平板状のおもて側ベース材と裏側ベース材とが結合されてベースが平板状に形成されているとともに、おもて側ベース材及び裏側ベース材の一方に形成された切欠部に取付材の棒状部が嵌合されて、取付材がベースに結合される。このため、取付材の棒状部が、ベースからその厚み方向に突出することが防止され、ベースが平板状に維持され得る。
このため、ベースに対して人工植物／人工葉が容易に設けられ得る。
【図面の簡単な説明】
【００１７】
【図１】本考案の実施例の帯飾りを示す正面図である。
【図２Ａ】本考案の実施例の帯飾りを示す分解斜視図である。斜め前方から見た図である。
【図２Ｂ】本考案の実施例の帯飾りを示す分解斜視図である。斜め後方から見た図である。
【図３】本考案の実施例の帯飾りの取付状態を示す図である。
【図４】本考案の実施例の帯飾りの使用状態を示す図である。
【考案を実施するための形態】
【００１８】
次に、本考案の実施例について、図面に基づいて説明する。
図１〜図２Ｂに示すように、この帯飾りは、おもて側造花群１０Ａ，裏側人工葉１０Ｂ，ベース２０，取付材３０を有している。
【００１９】
図２Ａ〜図２Ｂに示すように、ベース２０は、全体として横長の平板状をしており、その左右両端部は円弧状とされている。
取付材３０は、金属棒によって形成されており、ほぼＵ字状をしている。すなわち、取付材３０は一対（２本）の直棒状部３２と、ほぼＵ字状の被挿入部３５を有している。
【００２０】
ベース２０は、ともに平板状のおもて側ベース材２２ａと裏側ベース材２２ｂとが、接着剤によって接着（結合）されて平板状に形成されている。
裏側ベース材２２ｂには、一対の切欠部２４が形成されている。各切欠部２４は、取付材３０の各直棒状部３２に対応して形成されており、裏側ベース材２２ｂの下縁から上方に延びるように形成されている。
取付材３０の各直棒状部３２は、各切欠部２４に嵌合され、おもて側ベース材２２ａ（その裏面）に接着されている。こうして、取付材３０がベース２０に対して結合されている。
【００２１】
ここで、各直棒状部３２（取付材３０）は丸棒状（断面が円形の棒状）をしているところ、その直径は、裏側ベース材２２ｂの厚さとほぼ同一（同一又はやや短い）とされている。
このため、各直棒状部３２がベース２０（裏側ベース材２２ｂ）からその厚み方向に突出せず、ベース２０の裏面はほぼ面一状とされている。
【００２２】
おもて側造花群１０Ａは、複数（多数）の造花を含む人工植物が結合されて形成されている。各人工植物は合成樹脂によって形成されている。
おもて側造花群１０Ａは、ベース２０のおもて面（おもて側ベース材２２ａのおもて面）に対して、接着剤によって結合されている。
【００２３】
裏側人工葉１０Ｂは、人工的な棕櫚の葉であり、合成樹脂によって形成されている。
裏側人工葉１０Ｂは、ベース２０の裏面（裏側ベース材２２ｂのおもて面）に対して、接着剤によって結合されている。
【００２４】
次に、図３及び図４に基づいて、この帯飾りが使用される帯５０について説明する。
この帯５０は、通常の帯と同様に、和服着用時における胸部を巻いて使用されるものである。
図３に示すように、この帯５０は、文字通り帯状（細長い長方形状）に形成されており、和服着用時における胸部を２重又は３重程度に巻回する程度の長さを有している。
そして、帯５０の一端部の裏面には面ファスナ（オス）５２ａが設けられている。帯５０のおもて面のうちの対応する部分には、面ファスナ（メス）５２ｂが設けられている。
【００２５】
次に、この帯飾りの使用方法及び作用効果について説明する。
図４に示すように、女性が和服６０を着用した状態で、その胸部に帯５０が巻かれて、取り付けられる。すなわち、図３に示すように、面ファスナ（オス）５２ａが面ファスナ（メス）５２ｂに対して結合されて、取り付けられる。
この帯飾りの取付材３０のうちの被挿入部３５が、帯５０のうちの一部と他の一部との間の隙間に対して、挿入される。こうして、図４に示すように、帯飾りが帯５０に対して取付られる。
【００２６】
その状態で、着用者の帯５０のうちの背中部分に人工植物が取り付けられた外観を有することとなる。すなわち、人工の棕櫚の葉（裏側人工葉１０Ｂ）を背景として、多数の人工の花（おもて側造花群１０Ａ）が着用者の帯５０の背中部分にあらわれることとなる。
このため、本来の帯による帯飾りや付け帯とは全く異なる斬新な外観を呈することとなり、看者の注目を大いに引きつけることとなる。
【００２７】
なお、上記のものはあくまで本考案の一実施例にすぎず、当業者の知識に基づき種々の変更を加えた態様で本考案を実施できることはもちろんである。
【００２８】
例えば、「ベースのおもて側に設けられた人工植物」としては、複数の造花のみによって形成されていてもよいし、１つの造花のみによって形成されていてもよい。
また、造花や人工葉を含む人工植物については、合成樹脂によって形成されているという態様に限らず、布によって形成されているという態様でもよい。
【００２９】
また、帯５０における面ファスナ（オス）（５２ａ）及び面ファスナ（メス）（５２ｂ）については、逆の関係でもよい。すなわち、帯５０の一端部の裏面に面ファスナ（メス）（５２ｂ）が設けられ、帯５０のおもて面のうちの対応する部分に面ファスナ（オス）（５２ａ）が設けられていてもよい。
また、この帯飾りの取付材３０のうちの被挿入部３５は、帯５０のうちの一部と和服６０との間の隙間に挿入されてもよい。
【符号の説明】
【００３０】
１０Ａ  おもて側造花群（人工植物，造花）
１０Ｂ  裏側人工葉
２０  ベース
２２ａ  おもて側ベース材
２２ｂ  裏側ベース材
２４  切欠部
３０  取付材
３２  直棒状部
３５  被挿入部
【図１】
0003217438.tif 000003
【図２Ａ】
0003217438.tif 000004
【図２Ｂ】
0003217438.tif 000005
【図３】
0003217438.tif 000006
【図４】
0003217438.tif 000007